(57)【要約】【課題】  ディセンター量を小さくするように心取りできるとともに、チルト非球面レンズであっても心取りすることができる、光学レンズの心取り装置および心取り方法を提供する。【解決手段】  二面の光学面からなる被加工レンズの片面を吸着した状態で所定の回転軸回りに回転させる吸着回転手段と、該吸着回転手段によって吸着された光学面の中央部近傍に対する曲率中心が上記回転軸上に位置しているか否かを判別する内側曲率中心位置判別手段と、該吸着回転手段によって吸着された光学面の周辺部に対する曲率中心が上記回転軸上に位置しているか否かを判別する外側曲率中心位置判別手段と、上記被加工レンズを上記吸着回転手段に対して不動にする固定手段と、上記回転軸に離接する方向に往復移動自在であり、上記被加工レンズの外周面を削る加工手段と、を備えることを特徴とする光学レンズの心取り装置。【選択図】  図１
2004243510.tif 000002
【特許請求の範囲】
【請求項１】
二面の光学面からなる被加工レンズの片面を吸着した状態で所定の回転軸回りに回転させる吸着回転手段と、
該吸着回転手段によって吸着された光学面の中央部近傍に対する曲率中心が上記回転軸上に位置しているか否かを判別する内側曲率中心位置判別手段と、
該吸着回転手段によって吸着された光学面の周辺部に対する曲率中心が上記回転軸上に位置しているか否かを判別する外側曲率中心位置判別手段と、
上記被加工レンズを上記吸着回転手段に対して不動にする固定手段と、
上記回転軸に離接する方向に往復移動自在であり、上記被加工レンズの外周面を削る加工手段と、
を備えることを特徴とする光学レンズの心取り装置。
【請求項２】
請求項１記載の光学レンズの心取り装置において、上記固定手段が、上記内側曲率中心位置判別手段及び上記外側曲率中心位置判別手段が、上記光学面の中央部近傍及び周辺部に対する曲率中心が、上記回転軸上に位置していると判別した状態で、上記被加工レンズを上記吸着回転手段に対して不動にするものである光学レンズの心取り装置。
【請求項３】
請求項１または２記載の光学レンズの心取り装置において、
上記外側曲率中心位置判別手段は、上記吸着回転手段によって吸着された光学面の周辺部に接触することにより、該光学面の周辺部の面振れ量を検出する第１の面振れ検出手段である光学レンズの心取り装置。
【請求項４】
請求項３記載の光学レンズの心取り装置において、
上記内側曲率中心位置判別手段は、上記吸着回転手段によって吸着された光学面の中央部近傍に接触することにより、該光学面の中央部近傍の面振れ量を検出する第２の面振れ検出手段である光学レンズの心取り装置。
【請求項５】
請求項４記載の光学レンズの心取り装置は、さらに、
上記吸着回転手段によって吸着された光学面の中央部近傍に向けて光を照射する確認用送光手段と、
該確認用送光手段から発せられ上記光学面の中央部近傍に略垂直に入射し、該光学面によって反射された光を受光し、その受光位置から、上記光学面の中央部の曲率中心が上記回転軸上に位置しているか否かを判別する確認用判別手段と、
を備える光学レンズの心取り装置。
【請求項６】
請求項１または２記載の光学レンズの心取り装置において、
上記内側曲率中心位置判別手段は、上記吸着回転手段によって吸着された光学面の中央部近傍に向けて光を照射する第１の調整用送光手段と、該調整用送光手段から発せられ上記光学面に略垂直に入射し、該光学面によって反射された光を受光し、その受光位置から上記中央部近傍の曲率中心が上記回転軸上に位置しているか否かを判別する第１の調整用判別手段とを備える光学レンズの心取り装置。
【請求項７】
請求項６記載の光学レンズの心取り装置において、
上記外側曲率中心位置判別手段は、上記吸着回転手段によって吸着された光学面の周辺部に向けて光を照射する第２の調整用送光手段と、該第２の調整用送光手段から発せられ上記光学面に略垂直に入射し、該光学面によって反射された光を受光し、その受光位置から上記周辺部の曲率中心が上記回転軸上に位置しているか否かを判別する第２の調整用判別手段とを備える光学レンズの心取り装置。
【請求項８】
請求項１から７のいずれか１項記載の光学レンズの心取り装置において、さらに、
上記吸着された光学面とは反対側の光学面に向けて光を照射する曲率中心振れ量測定用送光手段と、
該曲率中心振れ量測定用送光手段から発せられ上記反対側の光学面に略垂直に入射し、該光学面によって反射された光を受光する、受光位置を認識可能な曲率中心振れ量測定用受光手段と、
該曲率中心振れ量測定用受光手段による反射光の受光位置に基づいて、上記反対側の光学面の曲率中心振れ量を演算する曲率中心振れ量演算手段と、
を備える光学レンズの心取り装置。
【請求項９】
請求項１から７のいずれか１項記載の光学レンズの心取り装置において、
上記吸着された光学面とは反対側の光学面の中央部近傍に向けて光を照射する曲率中心振れ量測定用送光手段と、
該曲率中心振れ量測定用送光手段から発せられ上記反対側の光学面の中央部近傍に略垂直に入射し、該光学面によって反射された光を受光する、受光位置を認識可能な曲率中心振れ量測定用受光手段と、
該曲率中心振れ量測定用受光手段による反射光の受光位置に基づいて、上記吸着回転手段の回転軸に対する上記反対側の光学面中央部の曲率中心振れ量を演算する曲率中心振れ量演算手段と、
上記反対側の光学面の周辺部に当接して、該周辺部の面振れ量を検出する第３の面振れ検出手段と、
を備える光学レンズの心取り装置。
【請求項１０】
請求項１から９のいずれか１項記載の光学レンズの心取り装置において、
上記固定手段が接着剤である光学レンズの心取り装置。
【請求項１１】
二面の光学面からなる被加工レンズの片面を吸着回転手段に吸着させて回転させる回転ステップ、
該吸着回転手段によって吸着された光学面の中央部近傍に対する曲率中心が、上記吸着回転手段の回転軸上に位置しているか否かを判別する内側曲率中心位置判別ステップ、
該吸着回転手段によって吸着された光学面の周辺部に対する曲率中心が上記回転軸上に位置しているか否かを判別する外側曲率中心位置判別ステップ、
上記光学面の中央部近傍及び周辺部に対する曲率中心が、上記回転軸上に位置するように、上記被加工レンズの吸着回転手段に対する位置と向きを調整する位置調整ステップ、
上記光学面の中央部近傍及び周辺部に対する曲率中心が、上記回転軸上に位置していると判別された状態で、上記被加工レンズを上記吸着回転手段に対して不動にする固定ステップ、及び
上記回転軸に離接する方向に往復移動自在な加工手段を、上記被加工レンズの外周面に接触させて、該外周面を削る加工ステップ、
を備えることを特徴とする光学レンズの心取り方法。
【請求項１２】
請求項１１記載の光学レンズの心取り方法において、
上記外側曲率中心位置判別ステップが、第１の面振れ検出手段を、上記吸着回転手段によって吸着された光学面の周辺部に接触させることにより、該光学面の周辺部の面振れ量を検出するステップである光学レンズの心取り方法。
【請求項１３】
請求項１２記載の光学レンズの心取り方法において、
上記内側曲率中心位置判別ステップが、第２の面振れ検出手段を、上記吸着回転手段によって吸着された光学面の中央部近傍に接触させることにより、該光学面の中央部近傍の面振れ量を検出するステップである光学レンズの心取り方法。
【請求項１４】
請求項１３記載の光学レンズの心取り方法において、さらに、
上記吸着回転手段によって吸着された光学面の中央部近傍に向けて光を照射するステップ、及び
該光学面の中央部近傍に略垂直に入射し、該光学面によって反射された光を、その受光位置から、上記光学面の中央部の曲率中心が上記回転軸上に位置しているか否かを判別する確認用判別手段に受光させるステップ、
を備える光学レンズの心取り方法。
【請求項１５】
請求項１１記載の光学レンズの心取り方法において、
上記内側曲率中心位置判別ステップが、
上記吸着回転手段によって吸着された光学面の中央部近傍に向けて光を照射するステップ、及び
該光学面の中央部近傍に略垂直に入射し、該光学面によって反射された光を受光し、その受光位置から、上記光学面の中央部近傍の曲率中心が上記回転軸上に位置しているか否かを判別する第１の調整用判別手段に受光させるステップ、
を備える光学レンズの心取り方法。
【請求項１６】
請求項１５記載の光学レンズの心取り方法において、
上記外側曲率中心位置判別ステップが、
上記吸着回転手段によって吸着された光学面の周辺部に向けて光を照射するステップ、及び
該光学面の周辺部に略垂直に入射し、該光学面によって反射された光を受光し、その受光位置から、上記光学面の周辺部の曲率中心が上記回転軸上に位置しているか否かを判別する第２の調整用判別手段に受光させるステップ、
を備える光学レンズの心取り方法。
【請求項１７】
請求項１１から１６のいずれか１項記載の光学レンズの心取り方法において、さらに、
上記位置調整ステップの後に、上記吸着された光学面とは反対側の光学面に向けて光を照射するステップ、
該反対側の光学面に略垂直に入射し、該光学面によって反射された光を、受光位置を認識可能な曲率中心振れ量測定用受光手段によって受光するステップ、及び
該曲率中心振れ量測定用受光手段による反射光の受光位置に基づいて、上記反対側の光学面の曲率中心振れ量を演算するステップ、
を備える光学レンズの心取り方法。
【請求項１８】
請求項１１から１６のいずれか１項記載の光学レンズの心取り方法において、さらに、
上記位置調整ステップの後に、上記吸着された光学面とは反対側の光学面の中央部近傍に向けて光を照射するステップ、
該反対側の光学面の中央部近傍に略垂直に入射し、該光学面によって反射された光を、受光位置を認識可能な曲率中心振れ量測定用受光手段によって受光するステップ、
該曲率中心振れ量測定用受光手段による反射光の受光位置に基づいて、上記吸着回転手段の回転軸に対する上記反対側の光学面中央部近傍の曲率中心振れ量を演算するステップ、及び
上記位置調整ステップの後に、上記反対側の光学面の周辺部に第３の面振れ検出手段を当接させて、該周辺部の面振れ量を検出するステップ、
を備える光学レンズの心取り方法。
【請求項１９】
請求項１１から１８のいずれか１項記載の光学レンズの心取り方法において、
上記固定ステップが、接着剤により上記被加工レンズを上記吸着回転手段に固定させるステップである光学レンズの心取り方法。
【発明の詳細な説明】
【技術分野】
【０００１】
本発明は、非球面レンズのディセンター量を小さくできるとともに、チルト非球面レンズであっても心取りすることができる、光学レンズの心取り装置および心取り方法に関する。
【背景技術】
【０００２】
少なくとも片面が非球面をなす非球面レンズは、非球面量が大きくなると、レンズ系の中の絞り近傍に組み込んだときには、非球面チルト（非球面の各位置の曲率中心を結んだ直線である非球面軸と外径中心軸との傾き）より、そのディセンター量（非球面の頂点（非球面軸と非球面との交点）と外径中心との間の径方向の距離）の大小が、レンズ系全体の収差劣化に対して大きく影響する場合が多い。
【発明の開示】
【発明が解決しようとする課題】
【０００３】
しかし、従来は非球面のある一部分に対する曲率中心位置から非球面軸を仮定していたので、加工基準に不確定な部分が残っており、例えば非球面レンズの内側と外側とで曲率中心位置が大きく変わるような非球面レンズでは、本当の非球面軸に対するディセンター量を小さくするような心取りが出来なかった。
【０００４】
また、少なくとも一方の面が非球面をなし、該非球面に対して他方の面が傾斜するチルト非球面レンズ（他方の面が球面の場合は、その曲率中心が非球面の非球面軸上に位置しないように設計され、他方の面が非球面の場合は、両面の非球面軸が互いに傾斜するように設計されたレンズ）を、ディセンター量を小さくするように心取りすることも出来なかった。
【０００５】
本発明の目的は、ディセンター量を小さくするように心取りできるとともに、チルト非球面レンズであっても心取りすることができる、光学レンズの心取り装置および心取り方法を提供することにある。
【課題を解決するための手段】
【０００６】
本発明の光学レンズの心取り装置は、二面の光学面からなる被加工レンズの片面を吸着した状態で所定の回転軸回りに回転させる吸着回転手段と、該吸着回転手段によって吸着された光学面の中央部近傍に対する曲率中心が上記回転軸上に位置しているか否かを判別する内側曲率中心位置判別手段と、該吸着回転手段によって吸着された光学面の周辺部に対する曲率中心が上記回転軸上に位置しているか否かを判別する外側曲率中心位置判別手段と、上記被加工レンズを上記吸着回転手段に対して不動にする固定手段と、上記回転軸に離接する方向に往復移動自在であり、上記被加工レンズの外周面を削る加工手段と、を備えることを特徴としている。
【０００７】
上記固定手段は、上記内側曲率中心位置判別手段及び上記外側曲率中心位置判別手段が、上記光学面の中央部近傍及び周辺部に対する曲率中心が、上記回転軸上に位置していると判別した状態で、上記被加工レンズを上記吸着回転手段に対して不動にするものであるのが実際的である。
【０００８】
上記外側曲率中心位置判別手段は、上記吸着回転手段によって吸着された光学面の周辺部に接触することにより、該光学面の周辺部の面振れ量を検出する第１の面振れ検出手段であるのが好ましい。
【０００９】
上記内側曲率中心位置判別手段は、上記吸着回転手段によって吸着された光学面の中央部近傍に接触することにより、該光学面の中央部近傍の面振れ量を検出する第２の面振れ検出手段であるのが好ましい。
【００１０】
さらに、上記吸着回転手段によって吸着された光学面の中央部近傍に向けて光を照射する確認用送光手段と、該確認用送光手段から発せられ上記光学面の中央部近傍に略垂直に入射し、該光学面によって反射された光を受光し、その受光位置から、上記光学面の中央部の曲率中心が上記回転軸上に位置しているか否かを判別する確認用判別手段と、を備えるのが好ましい。
【００１１】
上記内側曲率中心位置判別手段は、上記吸着回転手段によって吸着された光学面の中央部近傍に向けて光を照射する第１の調整用送光手段と、該調整用送光手段から発せられ上記光学面に略垂直に入射し、該光学面によって反射された光を受光し、その受光位置から上記中央部近傍の曲率中心が上記回転軸上に位置しているか否かを判別する第１の調整用判別手段とを備えるものとすることも可能である。
【００１２】
さらに、上記外側曲率中心位置判別手段を、上記吸着回転手段によって吸着された光学面の周辺部に向けて光を照射する第２の調整用送光手段と、該第２の調整用送光手段から発せられ上記光学面に略垂直に入射し、該光学面によって反射された光を受光し、その受光位置から上記周辺部の曲率中心が上記回転軸上に位置しているか否かを判別する第２の調整用判別手段とを備えるものとすることも可能である。
【００１３】
さらに、上記吸着された光学面とは反対側の光学面に向けて光を照射する曲率中心振れ量測定用送光手段と、該曲率中心振れ量測定用送光手段から発せられ上記反対側の光学面に略垂直に入射し、該光学面によって反射された光を受光する、受光位置を認識可能な曲率中心振れ量測定用受光手段と、該曲率中心振れ量測定用受光手段による反射光の受光位置に基づいて、上記反対側の光学面の曲率中心振れ量を演算する曲率中心振れ量演算手段と、を備えるのが好ましい。
【００１４】
さらに、上記吸着された光学面とは反対側の光学面の中央部近傍に向けて光を照射する曲率中心振れ量測定用送光手段と、該曲率中心振れ量測定用送光手段から発せられ上記反対側の光学面の中央部近傍に略垂直に入射し、該光学面によって反射された光を受光する、受光位置を認識可能な曲率中心振れ量測定用受光手段と、該曲率中心振れ量測定用受光手段による反射光の受光位置に基づいて、上記吸着回転手段の回転軸に対する上記反対側の光学面中央部の曲率中心振れ量を演算する曲率中心振れ量演算手段と、上記反対側の光学面の周辺部に当接して、該周辺部の面振れ量を検出する第３の面振れ検出手段と、を備えるのが好ましい。
【００１５】
上記固定手段は、例えば接着剤することが可能である。
【００１６】
本発明の光学レンズの心取り方法は、二面の光学面からなる被加工レンズの片面を吸着回転手段に吸着させて回転させる回転ステップ、該吸着回転手段によって吸着された光学面の中央部近傍に対する曲率中心が、上記吸着回転手段の回転軸上に位置しているか否かを判別する内側曲率中心位置判別ステップ、該吸着回転手段によって吸着された光学面の周辺部に対する曲率中心が上記回転軸上に位置しているか否かを判別する外側曲率中心位置判別ステップ、上記光学面の中央部近傍及び周辺部に対する曲率中心が、上記回転軸上に位置するように、上記被加工レンズの吸着回転手段に対する位置と向きを調整する位置調整ステップ、上記光学面の中央部近傍及び周辺部に対する曲率中心が、上記回転軸上に位置していると判別された状態で、上記被加工レンズを上記吸着回転手段に対して不動にする固定ステップ、及び上記回転軸に離接する方向に往復移動自在な加工手段を、上記被加工レンズの外周面に接触させて、該外周面を削る加工ステップ、を備えることを特徴としている。
【００１７】
上記外側曲率中心位置判別ステップは、第１の面振れ検出手段を、上記吸着回転手段によって吸着された光学面の周辺部に接触させることにより、該光学面の周辺部の面振れ量を検出するステップであるのが実際的である。
【００１８】
上記内側曲率中心位置判別ステップは、第２の面振れ検出手段を、上記吸着回転手段によって吸着された光学面の中央部近傍に接触させることにより、該光学面の中央部近傍の面振れ量を検出するステップとすることが可能である。
【００１９】
さらに、上記吸着回転手段によって吸着された光学面の中央部近傍に向けて光を照射するステップ、及び該光学面の中央部近傍に略垂直に入射し、該光学面によって反射された光を、その受光位置から、上記光学面の中央部の曲率中心が上記回転軸上に位置しているか否かを判別する確認用判別手段に受光させるステップ、を備えるのが好ましい。
【００２０】
上記内側曲率中心位置判別ステップを、上記吸着回転手段によって吸着された光学面の中央部近傍に向けて光を照射するステップ、及び該光学面の中央部近傍に略垂直に入射し、該光学面によって反射された光を受光し、その受光位置から、上記光学面の中央部近傍の曲率中心が上記回転軸上に位置しているか否かを判別する第１の調整用判別手段に受光させるステップ、を備えるものとしてもよい。
【００２１】
上記外側曲率中心位置判別ステップを、上記吸着回転手段によって吸着された光学面の周辺部に向けて光を照射するステップ、及び該光学面の周辺部に略垂直に入射し、該光学面によって反射された光を受光し、その受光位置から、上記光学面の周辺部の曲率中心が上記回転軸上に位置しているか否かを判別する第２の調整用判別手段に受光させるステップ、を備えるものとすることも可能である。
【００２２】
さらに、上記位置調整ステップの後に、上記吸着された光学面とは反対側の光学面に向けて光を照射するステップ、該反対側の光学面に略垂直に入射し、該光学面によって反射された光を、受光位置を認識可能な曲率中心振れ量測定用受光手段によって受光するステップ、及び該曲率中心振れ量測定用受光手段による反射光の受光位置に基づいて、上記反対側の光学面の曲率中心振れ量を演算するステップ、を備えるのが好ましい。
【００２３】
また、上記位置調整ステップの後に、上記吸着された光学面とは反対側の光学面の中央部近傍に向けて光を照射するステップ、該反対側の光学面の中央部近傍に略垂直に入射し、該光学面によって反射された光を、受光位置を認識可能な曲率中心振れ量測定用受光手段によって受光するステップ、該曲率中心振れ量測定用受光手段による反射光の受光位置に基づいて、上記吸着回転手段の回転軸に対する上記反対側の光学面中央部近傍の曲率中心振れ量を演算するステップ、及び上記位置調整ステップの後に、上記反対側の光学面の周辺部に第３の面振れ検出手段を当接させて、該周辺部の面振れ量を検出するステップ、を備えるようにしてもよい。
【００２４】
上記固定ステップを、接着剤により上記被加工レンズを上記吸着回転手段に固定させるステップ、とするのが実際的である。
【発明の効果】
【００２５】
本発明によると、ディセンター量を小さくするように心取りできるとともに、チルト非球面レンズであっても心取りすることができる。
【発明を実施するための最良の形態】
【００２６】
以下、本発明の第１の実施形態について図１を参照しながら説明する。
【００２７】
この実施形態は、一方の面が非球面ｒ１をなし他方の面が球面ｒ２をなす非球面レンズ（被加工レンズ）Ｌ１を、非球面ｒ１のディセンター量がゼロとなるように心取りするものである。
【００２８】
ここで、非球面ｒ１のディセンター量を、非球面ｒ１の非球面軸（非球面ｒ１の各位置の曲率中心Ｏ２ｏ、Ｏ２ａｓを結んだ直線、図１参照）Ａ１と非球面ｒ１の交点である非球面ｒ１の頂点Ｐと、非球面レンズＬ１の外径中心（図示略）との間の径方向の距離と定義する。さらに、ディセンター量がゼロとは、ディセンター量が厳密にゼロであることの外に、ディセンター量がゼロより僅かに大きいことをも含む意味とする（第２から第９の実施形態でも同様である）。
【００２９】
まず、本実施形態の非球面レンズＬ１の心取り装置の構成について説明する。
【００３０】
中空箱状の基台１Ａの上面には、取付孔１ａが穿設されている。基台１の内部には、上下方向を向く中心孔３ａが形成されるとともに、底部が閉塞された固定部材３Ａが配設されている。固定部材３Ａの上部には、モータ（図示略）に連係された略円筒状の第１回転部材５が、軸受を介して上下方向の軸回りに回転自在に嵌合している。第１回転部材５の上部は取付孔１ａから基台１の上方に突出しており、第１回転部材５には中心孔３ａと同心をなすとともに連通する中心孔５ａが設けられている。第１回転部材５の上面には環状をなす第２回転部材７が固着されており、第２回転部材７には中心孔５ａと同心をなすとともに連通する中心孔７ａが穿設されている。第２回転部材７の底面は、基台１の上面に固定された環状の固定部材９の上面に回転自在に支持されている。
【００３１】
第２回転部材７の上面には、非球面レンズＬ１の非球面ｒ１の中央部近傍を支持するとともに、上面が開口する略円筒状のレンズホルダ（吸着回転手段）１１Ａが固着されており、レンズホルダ１１Ａの内部には、中心孔７ａと同心をなすとともに連通する中心孔１１ａが穿設されている。
【００３２】
基台１の内部の底面には、吸引パイプ１３を介して固定部材３Ａの中心孔３ａと連通する真空装置１５が設置されている。この真空装置１５は、各中心孔３ａ、５ａ、７ａ、１１ａ内を真空にすることにより、レンズホルダ１１Ａの上面に載置された被加工レンズである非球面レンズＬ１を、レンズホルダ１１Ａに吸着するものである。
【００３３】
レンズホルダ１１Ａの近傍には、レンズホルダ１１Ａの上面に吸着される非球面レンズＬ１の非球面ｒ１の周辺部と中央部近傍とにそれぞれ接触する、揺動式の第１接触式センサ（外側曲率中心位置判別手段）（第１の面振れ検出手段）Ｓ１、及び第２接触式センサ（内側曲率中心位置判別手段）（第２の面振れ検出手段）Ｓ２が配設されている。こららの接触式センサＳ１、Ｓ２は図示を省略したプロセッサー（外側曲率中心位置判別手段）（内側曲率中心位置判別手段）（第１の面振れ検出手段）（第２の面振れ検出手段）に接続されており、このプロセッサーはテレビモニタ（図示略）に接続されている。
【００３４】
レンズホルダ１１Ａの側方かつレンズホルダ１１Ａより若干高い位置には、各中心孔３ａ、５ａ、７ａ、１１ａの中心軸（回転軸）Ａ２と平行な回転軸Ｃ１を有する円盤状の回転式研削具（加工手段）Ｃが配設されている。この回転式研削具Ｃは、図示を省略したスイッチがＯＦＦの時は、非球面レンズＬ１から離間する停止位置（図１の位置）に位置しており、スイッチをＯＮにすると、図示を省略したモータの駆動力を受けて、回転軸Ｃ１回りに回転しつつ、中心軸Ａ１側に向かって直線的に移動し、その外周面Ｃ２が非球面レンズＬ１の外周面Ｌ１ａに接触する接触位置（図示略）まで移動する。さらに、この後にスイッチをＯＦＦに戻すと、回転式研削具Ｃは回転を停止するとともに、停止位置に向かって直線的に移動する。
【００３５】
次に、このような心取り装置を用いた非球面レンズＬ１の心取り方法について説明する。
【００３６】
レンズホルダ１１Ａの上面に、非球面ｒ１が正確な非球面形状をなすように加工された非球面レンズＬ１を載せた後、真空装置１５を作動させて各中心孔３ａ、５ａ、７ａ、１１ａ内を真空状態にして、非球面レンズＬ１の非球面ｒ１をレンズホルダ１１Ａに吸着させる。
【００３７】
この状態でモータを作動させて、第１回転部材５、第２回転部材７、レンズホルダ１１Ａ、非球面レンズＬ１を、各中心孔３ａ、５ａ、７ａ、１１ａの中心軸Ａ２回りに回転させる。
【００３８】
このとき、非球面ｒ１の中央部近傍と周辺部の曲率中心Ｏ２ｏ、Ｏ２ａｓがそれぞれ中心軸Ａ２上に位置していないと、第１および第２接触式センサＳ１、Ｓ２の接触子Ｓ１ａ、Ｓ２ａが上下に揺れて、プロセッサーがこの揺動量（面振れ量）を演算し、演算した揺動量がテレビモニタに表示される。
【００３９】
第１および第２接触式センサＳ１、Ｓ２の接触子Ｓ１ａ、Ｓ２ａの揺動量がゼロになるように、レンズホルダ１１Ａに対する非球面レンズＬ１の位置と向きを変えて、揺動量がゼロになったら、非球面レンズＬ１をその状態に保持する。このように非球面レンズＬ１の位置と向きを調整することにより、曲率中心Ｏ２ｏ、Ｏ２ａｓが中心軸Ａ２上に位置し、非球面軸Ａ１と中心軸Ａ２が一致する。
【００４０】
なお、ここで接触子Ｓ１ａ、Ｓ２ａの揺動量がゼロとは、接触子Ｓ１ａ、Ｓ２ａが完全に静止している状態の他、接触子Ｓ１ａが予め定めた許容範囲内で僅かに揺動している状態も含む意味である（第２から第９の実施形態でも同様である）。
【００４１】
このようにして非球面軸Ａ１と中心軸Ａ２が一致したら、レンズホルダ１１Ａと非球面レンズＬ１の接触部に接着剤（固定手段）Ｓを塗布して、非球面レンズＬ１をレンズホルダ１１Ａに固定し、非球面レンズＬ１を不動状態にする。
【００４２】
非球面レンズＬ１がレンズホルダ１１Ａに完全に固定されたら、スイッチをＯＮにして、停止位置にある回転式研削具Ｃを回転させながら接触位置に移動させ、回転式研削具Ｃの外周面Ｃ２を非球面レンズＬ１の外周面Ｌ１ａに接触させて、非球面レンズＬ１の外周面Ｌ１ａ全体を削る。非球面レンズＬ１の外周面Ｌ１ａ全体を削り終えたら、スイッチをＯＦＦにして、回転式研削具Ｃを停止位置に戻す。
【００４３】
最後に、レンズホルダ１１Ａを第２回転部材７から取り外し、図示を省略した溶剤に浸して接着剤Ｓを溶かし、非球面レンズＬ１をレンズホルダ１１Ａから取り外す。なお、接着剤Ｓの種類によっては、レンズホルダ１１Ａを温めて接着剤Ｓを溶かすこともある。
【００４４】
このようにして非球面レンズＬ１の外周面Ｌ１ａ全体を削ると、非球面レンズＬ１の外径中心が非球面軸Ａ１上に位置し、ディセンター量がゼロとなる。そして、このようにして加工された非球面レンズＬ１は、レンズ系の中（特に絞り近傍）に組み込まれても、レンズ系全体の収差劣化に対して殆ど影響を与えない。
【００４５】
次に、本発明の第２の実施形態について図２を参照しながら説明する。
【００４６】
なお、第１の実施形態と同じ部材には同じ符号を付すに止めて、その詳細な説明は省略する。
【００４７】
この実施形態も、一方の面が非球面ｒ１をなし他方の面が球面ｒ２をなす非球面レンズＬ１を、非球面ｒ１のディセンター量がゼロとなるように心取りするものである。
【００４８】
まず、本実施形態の非球面レンズＬ１の心取り装置の、第１の実施形態にはない構成要素について説明する。
【００４９】
基台１Ｂは第１の実施形態のものに比べて横幅が広く、その上面には、取付孔１ａの他に採光孔１ｂが穿設されている。基台１Ｂの内部の底面には、取付孔１ａと採光孔１ｂの直下にそれぞれ位置する左右一対の全反射プリズム１７、１９が設置されている。固定部材３Ｂの底部は開口しており、この開口部には透明なカバーガラスＧが設けられている。
【００５０】
採光孔１ｂの上方には確認用送光装置（確認用送光手段）２１が配設されている。
【００５１】
この確認用送光装置２１は、下面に孔２３ａが穿設されたケース２３と、ケース２３の内部に配設された光源２５と、ミラーＭ１と、プリズムＰ１と、３枚のレンズＬ２、Ｌ３、Ｌ４と、確認用センサ（確認用判別手段）２７とからなるものである。
【００５２】
確認用センサ２７は上記プロセッサー（確認用判別手段）に接続されている。
【００５３】
次に、このような心取り装置を用いた非球面レンズＬ１の心取り方法について説明する。
【００５４】
レンズホルダ１１Ａの上面に非球面レンズＬ１を載せて吸着させた後、モータを作動させて、第１回転部材５、第２回転部材７、レンズホルダ１１Ａ、非球面レンズＬ１を中心軸Ａ２回りに回転させて、第１および第２接触式センサＳ１、Ｓ２の接触子Ｓ１ａ、Ｓ２ａの揺動量がゼロになったら、非球面レンズＬ１をその状態に保持して、非球面軸Ａ１と中心軸Ａ２を一致させるまでの要領は第１の実施形態と同じである。
【００５５】
接触子Ｓ１ａ、Ｓ２ａの揺動量がゼロになったら、非球面ｒ１の中央部近傍の曲率中心Ｏ２ｏが中心軸Ａ２上に位置しているか否かを、次の要領で確認する。
【００５６】
光源２５から光を発射すると、光は、確認用送光装置２１のミラーＭ１で反射された後、レンズＬ２、プリズムＰ１、レンズＬ３、レンズＬ４を透過して、全反射プリズム１９、１７で反射され、カバーガラスＧを透過して非球面ｒ１の中央部近傍に略垂直に入射する。すると、非球面ｒ１の中央部近傍によって反射された光は、全反射プリズム１７、１９によって反射されて確認用送光装置２１の内部に向い、レンズＬ４、Ｌ３を透過し、プリズムＰ１によって方向を変えられ確認用センサ２７に導かれ、光が確認用センサ２７の基準位置で受光されたか否かをプロセッサーが判断する。なお、このように、「光が非球面ｒ１の中央部近傍に略垂直に入射し、反射される」状態は、光源２５から発せられた光束の集光点が、非球面ｒ１の中央部近傍の曲率中心（Ｏ２ｏ）の位置と一致するように、心取り装置をセッティングすることで構築することができる。
【００５７】
光が基準位置で受光されていれば、曲率中心Ｏ２ｏが中心軸Ａ２上に位置している旨がテレビモニタに表示され、光が基準位置以外の箇所で受光されていれば、曲率中心Ｏ２ｏが中心軸Ａ２上に位置していない旨が表示される。
【００５８】
このようにして曲率中心Ｏ２ｏが中心軸Ａ２上に位置していることが確認できたら、レンズホルダ１１Ａと非球面レンズＬ１の接触部に接着剤Ｓを塗布して、非球面レンズＬ１をレンズホルダ１１Ａに固定し、回転式研削具Ｃにより非球面レンズＬ１の外周面Ｌ１ａ全体を削って、非球面レンズＬ１のディセンター量をゼロにし、その後、非球面レンズＬ１をレンズホルダ１１Ａから取り外す。
【００５９】
このような本実施形態によれば、非球面レンズＬ１を心取りする際に、曲率中心Ｏ２ｏが中心軸Ａ２上に位置していることを視覚的に簡単に確認できるので、非球面レンズＬ１の心取りをより正確に行うことができる。
【００６０】
次に、本発明の第３の実施形態について図３を参照しながら説明する。
【００６１】
なお、第２の実施形態と同じ部材には同じ符号を付すに止めて、その詳細な説明は省略する。
【００６２】
この実施形態は、一方の面が非球面ｒ１をなし他方の面が球面ｒ２をなす非球面レンズＬ１を、非球面ｒ１のディセンター量がゼロとなるように心取りを行い、かつ、球面ｒ２の曲率中心振れ量を測定するものである。
【００６３】
ここで、球面ｒ２の曲率中心振れ量を、非球面軸Ａ１と球面ｒ２の曲率中心Ｏ１ｏとの非球面レンズＬ１の径方向の距離と定義する。
【００６４】
まず、本実施形態の非球面レンズＬ１の心取り装置の、第２の実施形態にはない構成要素について説明する。
【００６５】
本実施形態の確認用送光装置２１の内部には、ミラーＭ１の代わりにプリズムＰ２が設けられている。
【００６６】
また、レンズホルダ１１Ａの上方には曲率中心振れ量測定用送光装置（曲率中心振れ量測定用送光手段）２９が配設されている。この曲率中心振れ量測定用送光装置２９は、下面と側面とに孔３１ａ、３１ｂが穿設されたケース３１と、ケース３１の内部に配設されたミラーＭ２と、プリズムＰ３と、３枚のレンズＬ５、Ｌ６、Ｌ７と、曲率中心振れ量測定用センサ（曲率中心振れ量測定用受光手段）３３とからなるものである。曲率中心振れ量測定用センサ３３は上記プロセッサー（曲率中心振れ量演算手段）に接続されている。
【００６７】
また、採光孔１ｂの上方には、確認用送光装置２１とほぼ同構成であるが、ミラーＭ１の代わりにプリズムＰ２が設けられ、かつ、そのケース２３に孔２３ｂが穿設された確認用送光装置２１Ａが配設されている。
【００６８】
この心取り装置による、非球面軸Ａ１と回転軸Ａ２を一致させる要領、非球面軸Ａ１と回転軸Ａ２が一致していることを確認する要領、非球面レンズＬ１の外周面Ｌ１ａを削る要領は第２の実施形態と同じである（ただし、光源２５から発射された光の一部が、プリズムＰ２によって方向を変えられ、レンズＬ２、プリズムＰ１等を透過する点が、第２の実施形態と異なる）。
【００６９】
球面ｒ２の曲率中心振れ量は、次の要領によって測定される。
【００７０】
光源（曲率中心振れ量測定用送光手段）２５が光を発射すると、光の一部はプリズムＰ２を透過して孔２３ｂ、孔３１ｂを通ってケース３１の内部に導かれ（残りの光はプリズムＰ１を透過してレンズＬ２側に向かう）、ミラーＭ２で反射されて、レンズＬ５、プリズムＰ３、レンズＬ６、レンズＬ７を透過して球面ｒ２に略垂直に入射する。球面ｒ２に入射した光は、球面ｒ２によって反射され、２枚のレンズＬ７、Ｌ６を透過してプリズムＰ３により方向を変換され、曲率中心振れ量測定用センサ３３に導かれる。なお、このように、「光が球面ｒ２に略垂直に入射し、反射される」状態は、光源２５から発せられた光束の集光点が、球面ｒ２の曲率中心（Ｏ１ｏ）の位置と一致するように、心取り装置をセッティングすることで構築することができる。
【００７１】
光が曲率中心振れ量測定用センサ３３の受光面のどの位置で受光されたかに応じて、プロセッサーが球面ｒ２の曲率中心振れ量を演算し、その結果をテレビモニタに表示する。光が受光面の基準位置で受光されていれば、曲率中心振れ量がゼロであることがテレビモニタに表示され、光が基準位置以外で受光されていれば、曲率中心振れ量が数値で表示される。
【００７２】
そして、このようにして多数の非球面レンズの曲率中心振れ量を測定した上で、これらの非球面レンズのレンズ性能を調べて、曲率中心振れ量とレンズ性能の相関関係を調べれば、曲率中心振れ量がレンズ性能にどのような影響を与えているかを知ることができる。
【００７３】
次に、本発明の第４の実施形態について図４を参照しながら説明する。
【００７４】
なお、第３の実施形態と同じ部材には同じ符号を付すに止めて、その詳細な説明は省略する。
【００７５】
本実施形態は、両面非球面の非球面レンズ（被加工レンズ）Ｌ８の非球面ｒ１のディセンター量をゼロにするように心取りを行い、かつ、非球面ｒ３の中央部近傍の曲率中心振れ量と周辺部の面振れ量を測定するものであるが、第１および第２接触式センサＳ１、Ｓ２を用いて非球面ｒ１の非球面軸Ａ１と中心軸Ａ２を一致させる要領、テレビモニタで非球面軸Ａ１と中心軸Ａ２が一致していることを確認する要領、非球面レンズＬ８の心取りを行う要領については第３の実施形態と同じである。よって、これらの要領と第３の実施形態と同じ部材についての詳しい説明は省略し、第３の実施形態にはない部材と、非球面レンズＬ８の非球面ｒ３の中央部近傍の曲率中心振れ量と周辺部の面振れ量を測定する要領について詳しく説明する。
【００７６】
なお、図中のＯｔは、非球面ｒ３の中央部近傍の曲率中心である。
【００７７】
第１接触式センサＳ１の上方には、表面側の非球面ｒ３の周辺部に接触子Ｓ３ａが揺動自在に接触する第３接触式センサ（第３の面振れ検出手段）Ｓ３が配設されており、この第３接触式センサＳ３は上記のプロセッサー（第３の面振れ検出手段）に接続されている。
【００７８】
非球面レンズＬ８の非球面ｒ３の中央部近傍の曲率中心振れ量を測定するには、まず、光源２５から発せられた光を、曲率中心振れ量測定用送光装置２９を通して非球面ｒ３の中央部近傍に略垂直に入射させ、非球面ｒ３によって反射された光を曲率中心振れ量測定用センサ３３に導く。光が曲率中心振れ量測定用センサ３３の基準位置で受光されていれば、テレビモニタに曲率中心振れ量がゼロであることが表示され、光が基準位置以外で受光されていれば、テレビモニタに曲率中心振れ量が数値で表示されるので、これを確認する。
【００７９】
さらに、第３接触式センサＳ３の接触子Ｓ３ａの揺動量を基にプロセッサーが演算した、非球面ｒ３の周辺部の面振れ量をテレビモニタで確認する。
【００８０】
このようにして多数の非球面レンズの曲率中心振れ量、面振れ量を測定した上で、これらの非球面レンズのレンズ性能を調べ、曲率中心振れ量および面振れ量とレンズ性能の相関関係を調べれば、曲率中心振れ量、面振れ量のそれぞれがレンズ性能にどのような影響を与えているかを知ることができる。
【００８１】
次に、本発明の第５の実施形態について図５を参照しながら説明する。
【００８２】
なお、第２の実施形態と同じ部材には同じ符号を付すに止めて、その詳細な説明は省略する。
【００８３】
この実施形態は、一方の面が非球面ｒ１をなし他方の面が球面ｒ２をなす非球面レンズＬ１を、非球面ｒ１のディセンター量がゼロとなるように心取りするものである。
【００８４】
第２回転部材７の上面に形成された凹部７ｂには、中心孔７ａと同心をなす中心孔８ａ１が穿設された第３回転部材８ａが固定されており、第２回転部材７と第３回転部材８ａの上面には、中心孔７ａ、８ａ１と同心をなす中心孔８ｂ１が穿設された第４回転部材８ｂが固定されている。そして、第４回転部材８ｂの上面に、非球面レンズＬ１の非球面ｒ１の周辺部よりやや内側を支持するとともに、上面が開口する略円筒状のレンズホルダ（吸着回転手段）１１Ｂが固着されており、レンズホルダ１１Ｂの内部には、中心孔７ａと同心をなし、かつ、中心孔８ｂ１と連通する中心孔１１ｂが穿設されている。
【００８５】
採光孔１ｂの直上には、確認用送光装置２１とほぼ同様の構成要素を具備する調整用送光装置（第１の調整用送光手段）３５が配設されている。この調整用送光装置３５の内部には、確認用センサ２７の代わりに調整用センサ（第１の調整用判別手段、内側曲率中心位置判別手段）３７が設けられている。
【００８６】
また、本実施形態の心取り装置には、第２接触式センサＳ２は設けられていない。
【００８７】
次に、この心取り装置を用いた心取り要領について説明する。
【００８８】
レンズホルダ１１Ｂの上面に非球面レンズＬ１を載せた後、真空装置１５を作動させて各中心孔３ａ、５ａ、７ａ、８ａ１、８ｂ１、１１ｂ内を真空状態にして、非球面レンズＬ１の非球面ｒ１をレンズホルダ１１Ｂに吸着させる。
【００８９】
この状態でモータを作動させて、第１回転部材５、第２回転部材７、第３回転部材８ａ、第４回転部材８ｂ、レンズホルダ１１Ｂ、非球面レンズＬ１を中心軸Ａ２回りに回転させる。
【００９０】
光源２５から光を発射すると、光は、調整用送光装置３５内においてミラーＭ１により反射され、レンズＬ２、プリズムＰ２、レンズＬ３、レンズＬ４を透過した後、全反射プリズム１９、１７で反射され、非球面ｒ１の中央部近傍に略垂直に入射する。すると、非球面ｒ１によって反射された光が、全反射プリズム１７、１９によって調整用送光装置３５の内部に導かれ、レンズＬ４、Ｌ３を透過して、プリズムＰ２によって方向を変えられ調整用センサ３７に導かれる。
【００９１】
このとき、非球面ｒ１の中央部近傍の曲率中心Ｏ２ｏが中心軸Ａ２上に位置していないと、光が調整用センサ３７の基準位置以外の箇所で受光され、曲率中心Ｏ２ｏが中心軸Ａ２上に位置していれば、光が調整用センサ３７の基準位置で受光される。
【００９２】
テレビモニタには、中心軸Ａ２に対する曲率中心Ｏ２ｏの位置が表示されるので、テレビモニタを見ながら非球面レンズＬ１のレンズホルダ１１Ｂに対する位置と向きを調整する。そして、光が調整用センサ３７の基準位置で受光されていることがテレビモニタで確認できたら、非球面レンズＬ１をその状態に保持する。このように非球面レンズＬ１の位置と向きを調整することにより、曲率中心Ｏ２ｏが中心軸Ａ２上に位置する。
【００９３】
さらに、テレビモニタを見ながら非球面レンズＬ１のレンズホルダ１１Ｂに対する向きを調整して、第１接触式センサＳ１の接触子Ｓ１ａの揺動量がゼロになるようにし、曲率中心Ｏ２ａｓを中心軸Ａ２上に位置させる。
【００９４】
このように曲率中心Ｏ２ｏ、Ｏ２ａｓがともに中心軸Ａ２上に位置すると、非球面軸Ａ１が中心軸Ａ２と一致する。
【００９５】
このようにして非球面軸Ａ１と中心軸Ａ２が一致したら、レンズホルダ１１Ｂと非球面レンズＬ１の接触部に接着剤Ｓを塗布して、非球面レンズＬ１をレンズホルダ１１Ｂに固定し、回転式研削具Ｃにより非球面レンズＬ１の外周面Ｌ１ａ全体を削って、非球面ｒ１のディセンター量をゼロにし、その後、非球面レンズＬ１をレンズホルダ１１Ｂから取り外す。
【００９６】
このような本実施形態によっても、非球面レンズＬ１の非球面ｒ１のディセンター量がゼロとなるように、非球面レンズＬ１を心取りすることができる。
【００９７】
次に、本発明の第６の実施形態について図６を参照しながら説明する。
【００９８】
この実施形態は、一方の面が非球面ｒ１をなし他方の面が球面ｒ２をなす非球面レンズＬ１を、非球面ｒ１のディセンター量がゼロとなるように心取りし、かつ、球面ｒ２の曲率中心振れ量を測定するものである。
【００９９】
本実施形態の心取り装置の基本構成は第３の実施形態とほぼ同じであるが、第５の実施形態と同様に、確認用送光装置２１Ａの代わりに調整用送光装置３５Ａ、小径のレンズホルダ１１Ａの代わりに大径のレンズホルダ１１Ｂを具備している。
【０１００】
この心取り装置を用いた心取り要領は第５の実施形態と同じであり、球面ｒ２の曲率中心振れ量の測定要領は第３の実施形態と同じである。
【０１０１】
このような本実施形態によっても、片面非球面の非球面レンズＬ１の非球面ｒ１のディセンター量をゼロにするように心取りできるとともに、球面ｒ２の曲率中心振れ量を簡単に測定することができる。
【０１０２】
次に、本発明の第７の実施形態について図７を参照しながら説明する。
【０１０３】
この実施形態は、両面非球面の非球面レンズＬ８を、非球面ｒ１のディセンター量がゼロとなるように心取りを行い、かつ、非球面ｒ３の中央部近傍の曲率中心振れ量と周辺部の面振れ量を測定するものである。
【０１０４】
本実施形態の心取り装置の基本構成は、第４の実施形態とほぼ同様であるが、確認用送光装置２１の代わりに調整用送光装置３５Ａ、小径のレンズホルダ１１Ａの代わりに大径のレンズホルダ１１Ｂが設けられ、第２接触式センサＳ２が設けられていない点が異なる。
【０１０５】
この心取り装置を用いた心取り要領は第５の実施形態と同じであり（光源２５から発射された光の一部がプリズムＰ２を通って非球面ｒ１に導かれる点は異なる）、非球面ｒ３の中央部近傍の曲率中心振れ量と周辺部の面振れ量を測定要領は第４の実施形態と同じである。
【０１０６】
このような本実施形態によっても、両面非球面の非球面レンズＬ１の非球面ｒ１のディセンター量がゼロとなるように心取りできるとともに、非球面ｒ３の中央部近傍の曲率中心振れ量と周辺部の面振れ量を簡単に測定することができる。
【０１０７】
次に、本発明の第８の実施形態について図８を参照しながら説明する。
【０１０８】
本実施形態において心取りしようとする非球面レンズ（被加工レンズ）Ｌ９は、図示するように、一方の面が球面ｒ２であり、かつ、球面ｒ２の曲率中心が非球面ｒ１の非球面軸Ａ１上に位置しない特殊形状のチルト非球面レンズであり、その外周面Ｌ９ａは側方から見て楔形をなしている。
【０１０９】
本実施形態は、この非球面レンズＬ９の非球面ｒ１のディセンター量がゼロとなるように心取りを行うものである。
【０１１０】
本実施形態の心取り装置の基本構成は、第５の実施形態のものと同じであるが、第３回転部材８ａと第４回転部材８ｂを具備せず、レンズホルダ１１Ｂが第２回転部材７の上面に直接固着されている点が異なる。そして、この実施形態でも、非球面ｒ１側をレンズホルダ１１Ｂに載せて、調整用送光装置３５を利用して非球面軸Ａ１を中心軸Ａ２に一致させ、接着剤Ｓにより非球面レンズＬ９をレンズホルダ１１Ｂに固定した後、回転式研削具Ｃによって非球面レンズＬ９の外周面Ｌ９ａ全体を研削して心取りを行う。
【０１１１】
このような特殊形状の非球面レンズＬ９であっても、非球面軸Ａ１を中心軸Ａ２に一致させた状態で非球面レンズＬ９の外周面Ｌ９ａを研削すれば、ディセンター量がゼロとなるように心取りすることができる。
【０１１２】
最後に、本発明の第９の実施形態について図９を参照しながら説明する。
【０１１３】
本実施形態は、第８の実施形態と同様の非球面レンズＬ９を、非球面ｒ１のディセンター量がゼロとなるように心取りを行い、かつ、球面ｒ２の曲率中心振れ量を測定するものである。
【０１１４】
本実施形態の心取り装置の基本構成は第６の実施形態と同じであり、第６の実施形態と同じ要領によって、ディセンター量をゼロにする心取りと、球面ｒ２の曲率中心振れ量の測定とを行うことができる。
【０１１５】
なお、図１０に示すように、第８および第９の実施形態の心取り装置に中心孔１１ｃを具備する小径のレンズホルダ１１Ｃを採用し、非球面ｒ１の中央部近傍と周辺部に接触する第１および第２接触式センサＳ１、Ｓ２（図１０では図示略）を利用して、非球面軸Ａ１を中心軸Ａ２に一致させるようにしてもよい。
【０１１６】
また、非球面レンズＬ９は両面非球面のチルト非球面レンズ（図示略）であってもよい。ここで、両面非球面のチルト非球面レンズとは、両面の非球面軸が互いに傾斜する特殊形状のレンズのことであり、その外周面は側方から見て楔形をなしている。この場合は第５の実施形態と同様に、非球面ｒ１とは反対側の非球面に光を照射するとともに第３接触式センサＳ３を接触させて、この非球面の中央部近傍の曲率中心振れ量と周辺部の面振れ量を測定するようにしてもよい。
【０１１７】
さらに、両面がともに球面をなす光学レンズ（図示略）の心取りを行うことも勿論可能である。
【０１１８】
なお、いずれの実施形態でも、非球面レンズの外周面を研削加工しても、機械誤差等の影響によりディセンター量がゼロにならない場合もあるが、加工前よりディセンター量が小さくなっていれば、レンズ系全体の収差劣化に対する影響を小さくすることができる。
【０１１９】
また、第５から第９の実施形態において、第１接触式センサＳ１を用いる代わりに、非球面レンズＬ１、Ｌ８、Ｌ９の非球面ｒ１の周辺部に向かって送光する、調整用送光装置３５と同構成の調整用送光装置（第２の調整用送光手段）（図示略）を設け、この内部に、調整用センサ（第２の調整用判別手段）を設けて、非球面ｒ１の周辺部の曲率中心を中心軸Ａ２上に載せるようにしてもよい。
【図面の簡単な説明】
【０１２０】
【図１】本発明の第１の実施形態の心取り装置の全体図である。
【図２】本発明の第２の実施形態の心取り装置の全体図である。
【図３】本発明の第３の実施形態の心取り装置の全体図である。
【図４】本発明の第４の実施形態の心取り装置の全体図である。
【図５】本発明の第５の実施形態の心取り装置の全体図である。
【図６】本発明の第６の実施形態の心取り装置の全体図である。
【図７】本発明の第７の実施形態の心取り装置の全体図である。
【図８】本発明の第８の実施形態の心取り装置の全体図である。
【図９】本発明の第９の実施形態の心取り装置の全体図である。
【図１０】第８、第９の実施形態の心取り装置のレンズホルダの変形例である。
【符号の説明】
【０１２１】
１Ａ  １Ｂ      基台
１ａ    取付孔
１ｂ    採光孔
３Ａ  ３Ｂ      固定部材
３ａ    中心孔
５      第１回転部材
５ａ    中心孔
７      第２回転部材
７ａ    中心孔
９      固定部材
１１Ａ  １１Ｂ  １１Ｃ  レンズホルダ（吸着回転手段）
１１ａ  １１ｂ  １１ｃ  中心孔
１３    吸引パイプ
１５    真空装置
１７    全反射プリズム
１９    全反射プリズム
２１  ２１Ａ  確認用送光装置（確認用送光手段）
２３    ケース
２３ａ  ２３ｂ  孔
２５    光源（曲率中心振れ量測定用送光手段）
２７    確認用センサ（確認用判別手段）
２９    曲率中心振れ量測定用送光装置（曲率中心振れ量測定用送光手段）
３１    ケース
３１ａ  ３１ｂ  孔
３３    曲率中心振れ量測定用センサ（曲率中心振れ量測定用受光手段）
３５  ３５Ａ  調整用送光装置（第１の調整用送光手段）
３７    調整用センサ（第１の調整用判別手段、内側曲率中心位置判別手段）
Ａ１    非球面軸
Ａ２    中心軸（回転軸）
Ｃ      回転式研削具（加工手段）
Ｇ      カバーガラス
Ｌ１    非球面レンズ（被加工レンズ）
Ｌ１ａ  外周面
Ｌ２  Ｌ３  Ｌ４  Ｌ５  Ｌ６  Ｌ７  レンズ
Ｌ８    非球面レンズ（被加工レンズ）
Ｌ８ａ  外周面
Ｌ９    非球面レンズ（被加工レンズ）
Ｌ９ａ  外周面
Ｍ１    ミラー
Ｍ２    ミラー
Ｓ      接着剤（固定手段）
Ｏ２ｏ  Ｏ２ａｓ  Ｏ１ｏ  Ｏｔ  曲率中心
Ｐ      頂点
Ｐ１  Ｐ２  Ｐ３  プリズム
ｒ１    非球面
ｒ２    球面
ｒ３    非球面
Ｓ１    第１接触式センサ（第１の面振れ検出手段）（外側曲率中心位置判別手段）
Ｓ１ａ  接触子
Ｓ２    第２接触式センサ（第２の面振れ検出手段）（内側曲率中心位置判別手段）
Ｓ２ａ  接触子
Ｓ３    第３接触式センサ（第３の面振れ検出手段）
Ｓ３ａ  接触子
【図１】
2004243510.tif 000003
【図２】
2004243510.tif 000004
【図３】
2004243510.tif 000005
【図４】
2004243510.tif 000006
【図５】
2004243510.tif 000007
【図６】
2004243510.tif 000008
【図７】
2004243510.tif 000009
【図８】
2004243510.tif 000010
【図９】
2004243510.tif 000011
【図１０】
2004243510.tif 000012